(57)【要約】  薬剤送達装置は、ハウジング（１０）と、マルチチャンバ薬剤容器を収容する容器ホルダ（１２）とを備える。上記ハウジングおよび上記薬剤容器ホルダは、互いに相互作用するよう接続され、互いに相対的に移動可能である。薬剤送達装置はさらに、ハウジング内の薬剤容器ホルダを駆動して調製を達成するために本体に対して相互作用するよう接続された混合ガード機構を備える。混合ガード機構は、ガード部材（３４）、力部材（５２）、およびガード部材ロック手段（２４，４２）を含む。これにより、調製が達成されると、薬剤容器ホルダおよびガード部材は、予混合位置から、上記薬剤容器ホルダが上記ハウジングに対して遠位側にずらされている混合位置へと上記ハウジングに対して移動可能となる。この混合位置において、上記ガード部材ロック手段が起動され、これにより、上記ガード部材が、送達部材（２２）をカバーするために上記力部材によって近位方向に推し進められる。
2013543771.tif 000002
【特許請求の範囲】
【請求項１】
薬剤送達装置であって、
−  ハウジング（１０）と、マルチチャンバ薬剤容器を収容する薬剤容器ホルダ（１２）とを備えた本体を含み、前記ハウジング（１０）および前記薬剤容器ホルダ（１２）は、相互作用するよう互いに接続され、互いに相対的に移動可能であり、薬剤容器ホルダは、送達部材（２２）を取付けるための取付け手段（２０）を含み、前記薬剤送達装置はさらに、
−  本体に相互作用するように接続されて、ハウジング内の薬剤容器ホルダを駆動して、調製を達成するための混合ガード機構を含み、
前記混合ガード機構は、
−  薬剤容器ホルダ（１２）に動作可能に接続されたガード部材（３４）と、
−  前記ガード部材（３４）に作用するよう配置された力部材（５２）と、
−  前記ガード部材（３４）と前記薬剤容器ホルダ（１２）との間に配置されたガード部材ロック手段（２４，４２）とを含み、前記ガード部材ロック手段（２４，４２）は、ガード部材（３４）が力部材（５２）の力に対抗して薬剤容器ホルダ（１２）にロックされるように、前記薬剤容器ホルダ（１２）に対して配置された第２の係合部材（２４）に動作可能に作用する第１の係合部材（４２）を含み、これにより、調製が達成されると、薬剤容器ホルダ（１２）およびガード部材（３４）は、送達部材（２２）の取付けを可能にするために前記取付け手段（２０）が前記ガード部材（３４）の近位端から突出る予混合位置から、前記薬剤容器ホルダ（１２）が前記ハウジング（１０）に対して遠位側にずらされた混合位置へと、前記ハウジング（１０）に対して移動可能となり、前記混合位置では、前記ガード部材ロック手段（２４，４２）が前記ハウジング（１０）の近位領域（５８）によって起動および解放され、これにより、前記ガード部材（３４）が、送達部材（２２）をカバーするために前記力部材（５２）によって近位方向に推し進められる、薬剤送達装置。
【請求項２】
前記第１の係合部材は弾力的に移動可能なフック状アーム（４２）を含み、前記第２の係合部材はレッジ（２４）を含み、前記ハウジング（１０）の近位端面（５８）は、前記フック状アーム（４２）に接触すると、前記レッジ（２４）との係合を解除するように前記フック状アームを移動させるよう配置される、請求項１に記載の薬剤送達装置。
【請求項３】
前記混合ガード機構は、前記薬剤容器ホルダ（１２）を前記ハウジング（１０）内でずらすことを可能にするために、前記ハウジングと前記薬剤容器ホルダとを相互作用するように接続する第１の接続手段（１４，１６）を含む、請求項１に記載の薬剤送達装置。
【請求項４】
前記第１の接続手段は、前記ハウジングおよび前記薬剤容器に対して協働するねじ山（１４，１６）を含む、請求項３に記載の薬剤送達装置。
【請求項５】
薬剤容器ホルダ（１２）およびガード部材（３４）の両方に相互作用するように接続された第２のガード部材ロック手段（２８，３０，４４）をさらに含み、前記第２のガード部材ロック手段（２８，３０，４４）は、送達部材（２２）の近位部分がガード部材（３４）の近位端から突出るように前記力部材（５２）を圧縮しつつガード部材（３４）を遠位側にずらすことが可能となる第１のロック解除された状態に位置するよう、かつ、ガード部材が前記力部材（５２）によって近位側にずらされて送達部材（２２）をカバーした後に前記ガード部材（３４）がロックされる第２のロックされた状態に位置するよう配置される、請求項１に記載の薬剤送達装置。
【請求項６】
前記第２のガード部材ロック手段は、前記薬剤容器ホルダに対して配置されたフック（３０）付きアーム（２８）と、遠位側に向けられた端面が前記ガード部材（３４）に対して配置されている少なくとも１つのリブ（４４）とを含み、これにより、前記ガード部材（３４）が近位側へ動かされると、前記少なくとも１つのフック（３０）は前記少なくとも１つのリブ（４４）の端面（５０）を通り過ぎ、これにより、後に前記ガード部材が遠位側にずらされるのを防ぐ、請求項５に記載の薬剤送達装置。
【請求項７】
前記ハウジング内に配置され、前記マルチチャンバ容器内に位置決めされたストッパを駆動するよう適合された駆動手段をさらに含む、請求項１から６のいずれかに記載の薬剤送達装置。
【請求項８】
前記駆動手段は、プランジャロッドと、前記プランジャロッドに動作可能に作用して前記プランジャロッドを近位方向に推し進めるための力部材とを含む、請求項７に記載の薬剤送達装置。
【請求項９】
予め張力がかけられた状態で前記駆動手段を保持するための保持手段をさらに含む、請求項８に記載の薬剤送達装置。
【請求項１０】
予め張力がかけられた状態から駆動手段を解放するために前記保持手段に作用することのできる起動手段をさらに含む、請求項９に記載の薬剤送達装置。
【請求項１１】
前記装置は注射装置である、請求項１から１０のいずれかに記載の薬剤送達装置。
【発明の詳細な説明】
【技術分野】
【０００１】
技術分野
本発明は、薬剤送達装置に関し、特に、患者への薬剤送達前に薬剤の混合を必要とするマルチチャンバ薬剤容器を用いた薬剤送達装置に関する。
【背景技術】
【０００２】
発明の背景
注射器などの薬剤送達装置においてマルチチャンバ薬剤容器を用いることがますます一般的になってきている。この理由として、何らかの液体中に溶解した薬剤と比べて、はるかに長期間にわたって薬剤を劣化させることなく貯蔵できる点が挙げられる。
【０００３】
このように、薬剤および液体は薬剤容器内で別々の区画内に保存されており、これらの区画を互いに連通させることができるように隔離壁またはストッパを移動させることによって、薬剤および液体が使用の直前に混合される。
【０００４】
しかしながら、マルチチャンバ薬剤容器は、１投与分の薬剤を注入することができるようになるまでに、より多くの処理ステップを必要とする。なぜなら、混合を開始するために、注射器のプランジャロッドによって薬剤容器のストッパを移動させなければならないからである。
【０００５】
多くの薬剤送達装置および特に注射器の別の特徴として、薬剤送達部材、特に注射針、の薬剤容器への取付けと、さらに、不用意に針が突刺さるのを如何にして回避するかとが挙げられる。文献ＷＯ２０１０／０００５５９は、マルチチャンバ薬剤容器を用いた薬剤送達装置を開示する。ここでは、近位側のハウジング部分に位置する薬剤容器ホルダを遠位側のハウジング部分内へと回転させ、これにより、薬剤容器のストッパをプランジャロッドに逆らって移動させることによって混合が行われる。
【０００６】
初期位置においては、薬剤容器の近位端は近位側のハウジング部分を越えて突出しており、この場合、近位側のハウジング部分は、薬剤送達装置を薬剤容器ホルダに取付けることができるように針シールドとしても機能する。混合が行われると、薬剤送達部材は近位側のハウジング／針シールドに引込まれる。針シールドは、ここでは、装置を作動させるために用いられる。針入が実行されると、針シールドが遠位方向に押込まれ、これにより、自動注入シーケンスが開始される。こうして、針シールド組立品は装置のほぼ遠位端にまで延びて、注入を開始できるようにする。
【発明の概要】
【発明が解決しようとする課題】
【０００７】
しかしながら、いくつかの装置の場合、さほど多くの構成要素および機能を備えることが必要ではないかまたは所望されないことがある。というのも、多くの構成要素および機能を備えることにより、装置がより複雑で高価なものになってしまう傾向があるからである。したがって、薬剤送達装置には開発の余地がある。
【０００８】
発明の簡単な説明
本発明の目的は、マルチチャンバ薬剤容器を単純かつ直観的に、但し安全な方法で扱うことを可能にする薬剤送達装置を提供することである。
【課題を解決するための手段】
【０００９】
本発明の主な局面に従うと、特許請求の範囲の独立項の特徴に従った薬剤送達装置を特徴とする。この発明の好ましい実施例は、特許請求の範囲の従属項の主題を形成する。
【００１０】
本発明の主な局面に従うと、ハウジングと、マルチチャンバ薬剤容器を収容する薬剤容器ホルダとを備えた本体を含む薬剤送達装置を特徴とする。上記ハウジングおよび上記薬剤容器ホルダは、相互作用するように互いに接続され、互いに相対的に移動可能である。薬剤容器ホルダは、送達部材を取付けるための取付け手段を含む。薬剤送達装置はさらに、本体に相互作用するように接続されて、ハウジング内の薬剤容器ホルダを駆動し、これにより調製を達成するための混合ガード機構を備える。混合ガード機構は、薬剤容器ホルダに動作可能に接続されたガード部材と、上記ガード部材に作用するよう配置された力部材と、上記ガード部材が力部材の力に対抗して薬剤容器ホルダにロックされるように、上記ガード部材と上記薬剤容器ホルダとの間に配置されたガード部材ロック手段とを含む。これにより、調製が達成されると、薬剤容器ホルダおよびガード部材は、送達部材の取付けを可能にするために上記取付け手段が上記ガード部材の近位端から突出る予混合位置から、上記薬剤容器ホルダが上記ハウジングに対して遠位側にずらされた混合位置へと、上記ハウジングに対して移動可能となり、この混合位置では、上記ガード部材ロック手段が起動され、これにより、上記ガード部材が、送達部材をカバーするために上記力部材によって近位方向に推し進められる。
【００１１】
本発明の別の局面に従うと、上記ガード部材ロック手段は、上記薬剤容器ホルダに対して配置された第２の係合部材に動作可能に作用する第１の係合部材を含み、これら第１および第２の係合部材は、上記ハウジングの近位領域によって起動および解放される。
【００１２】
本発明のさらなる局面に従うと、上記第１の係合部材は弾力的に移動可能なフック状アームを含み、上記第２の係合部材はレッジを含み、上記ハウジングの近位端面は、上記フック状アームに接触すると、上記レッジとの係合を解除するように上記フック状アームを移動させるよう配置される。
【００１３】
本発明のさらに別の局面に従うと、上記混合ガード機構は、薬剤容器ホルダをハウジング内でずらすことを可能にするために上記ハウジングと上記薬剤容器ホルダとを相互作用するように接続する第１の接続手段を含む。
【００１４】
本発明のさらなる局面に従うと、上記第１の接続手段は、上記ハウジングおよび上記薬剤容器に対して協働するねじ山を含む。
【００１５】
本発明の別の局面に従うと、薬剤容器ホルダおよびガード部材の両方に相互作用するように接続された第２のガード部材ロック手段をさらに含む。第２のガード部材ロック手段は、送達部材の近位部分がガード部材の近位端から突出るように上記力部材を圧縮しつつガード部材を遠位側にずらすことが可能となる第１のロック解除された状態に位置するよう、かつ、ガード部材が上記力部材によって近位側にずらされて送達部材をカバーした後に当該ガード部材がロックされる第２のロックされた状態に位置するよう配置される。
【００１６】
本発明のさらに別の局面に従うと、上記第２のガード部材ロック手段は、上記薬剤容器ホルダに対して配置されたフック付きアームと、遠位側に向けられた端面が上記ガード部材に対して配置されている少なくとも１つのリブとを含む。これにより、上記ガード部材が近位側へ動かされると、上記少なくとも１つのフックは上記少なくとも１つのリブの端面を通り過ぎ、これにより、後に上記ガード部材が遠位側にずらされるのを防ぐ。
【００１７】
本発明のさらなる局面に従うと、上記ハウジング内に配置され、上記マルチチャンバ容器内に位置決めされたストッパを駆動するよう適合された駆動手段を含む。
【００１８】
本発明のさらなる局面に従うと、上記駆動手段は、プランジャロッドと、上記プランジャロッドに動作可能に作用してこのプランジャロッドを近位方向に推し進めるための力部材とを含む。
【００１９】
本発明の別の局面に従うと、予め張力がかけられた状態で上記駆動手段を保持するための保持手段をさらに含む。
【００２０】
本発明のさらに別の局面に従うと、予め張力がかけられた状態から駆動手段を解放するために上記保持手段に作用することのできる起動手段をさらに含む。
【００２１】
本発明のさらなる局面に従うと、装置は注射装置である。
【発明の効果】
【００２２】
本発明にはいくつかの利点がある。ガード部材と薬剤容器ホルダとの間でロック機能を用いることにより、全混合シーケンス中に薬剤送達部材全体を視認できるようにする。これにより、使用者は、混合およびそれに付随する事前準備が実行されていることを確実に確認することができる。また、混合シーケンス中のいつの時点においても薬剤送達部材を取付けることができる。
【００２３】
さらに、混合ガード機構により、装置が投与送達部位に押当てられたときに、管状のガード部材を遠位方向に押込むことが可能となる。投与送達完了後に装置を投与送達部位から取外すとき、管状のガード部材を上記のように移動させることにより、混合ガード機構の構成要素を移動させ、これにより、管状のガード部材をロックする準備が整う。管状のガード部材は、ばね力によって近位方向に押込まれ、これにより、ロックされた状態で薬剤送達部材を囲む。これにより、薬剤送達部材に対する不正な操作変更を防止することができる。
【００２４】
本発明のこれらおよび他の局面ならびにその利点は、本発明の以下の詳細な説明および添付の図面から明らかになるだろう。
【００２５】
図面の簡単な説明
本発明の以下の詳細な説明において、添付の図面を参照する。
【図面の簡単な説明】
【００２６】
【図１】初期位置にある本発明の実施例を示す側面図である。
【図２】図１の装置の分解図である。
【図３】初期位置にあるガード部材を示す図１の装置の詳細図である。
【図４】延ばされた近位位置にあるガード部材を示す図１の装置の詳細図である。
【図５】薬剤送達中に引込められた位置にあるガード部材を示す図１の装置の詳細図である。
【図６】薬剤送達後の中間位置にあるガード部材を示す図１の装置の詳細図である。
【図７】延ばされてロックされた位置にあるガード部材を示す図１の装置の詳細図である。
【発明を実施するための形態】
【００２７】
発明の詳細な説明
本願においては、「遠位部分／端部（distal part/end）」という語が用いられる場合、これは、薬剤送達部位から最も遠くに離れた位置にある送達装置の部分／端部またはその部材の部分／端部を指す。これに対応して、「近位部分／端部（proximal part/end）」という語が用いられる場合、これは、薬剤送達部位に最も近接した位置にある送達装置の部分／端部またはその部材の部分／端部を指す。
【００２８】
図１〜図７はこの発明の実施例を示す。図示される装置は、遠位側のハウジング部分１０および近位側のハウジング部分１２を有するハウジングを含む。２つのハウジング部分はねじ山を介して互いに接続される。ここで、遠位側のハウジング部分１０の内面上にはねじ山１４（図２）が配置され、近位側のハウジング部分１２の外面上には対応するねじ山１６が設けられて、第１の接続手段を形成する。近位側のハウジング部分１２はさらに、上述のとおり、マルチチャンバ薬剤容器（図示せず）を収容するよう設計された内部区画１８を有する。これにより、近位側のハウジング部分１２は、以後、薬剤容器ホルダ１２と称することとする。この薬剤容器ホルダ１２にはさらに、図示のとおり、注射針などの薬剤送達部材２２を取付けるための取付け手段が配置された近位側の首部分２０が配置される。しかしながら、他のタイプの送達部材、たとえばマウスピース、ノーズピース、ノズル、ネブライザなどが採用可能であることが理解されるべきである。
【００２９】
さらに、薬剤容器ホルダ１２には第１の円周レッジ２４および第２の円周レッジ２６が配置される。第１のレッジ２４は第２のレッジ２６よりも遠位側に位置する。近位側のハウジング部分１２の近位端には、遠位側に向けられた少なくとも１つのアーム２８（図３）がさらに配置される。このアーム２８は、装置の長手方向に対して横断する方向に可撓性を有するよう配置される。アーム２８の遠位端にはレッジまたはフック３０が配置される。さらに、アーム２８の隣りには、薬剤容器ホルダ１２に回動可能に取付けられたガイド部材３２が設けられる。
【００３０】
薬剤容器ホルダ１２に対して摺動可能である薬剤送達ガード部材３４が、近位側のハウジング部分に対してさらに配置される。ガード部材３４は概して管状に設計され、近位端壁３５（図４）を備える。この端壁３５はその近位端に開口部３６を備えており、開口部３６の直径は、薬剤送達部材２２の取付け部材３７の直径よりもいくらか大きい。ガード部材３４の遠位端の円周端面には、内側に向けられた円周レッジ３８（図３）が配置される。さらに、ガード部材３４の遠位端領域にはいくつかのスリット４０が設けられ、これにより、いくつかのアーム４２が形成される。さらに、レッジ３８は、薬剤容器ホルダ１２に面する面４３を備える。これらの面４３は、装置の長手方向に対していくらか傾斜している。ガード部材の内面には、ガードの長手方向に延在する少なくとも１つのガイドリブ４４（図３）が取付けられる。ガイドリブ４４は、近位側の円周レッジ２６におけるスリット４６（図２）に延びている。ガイドリブ４４には、その遠位端面５０から一定の距離をおいて切欠４８がさらに設けられる。切欠４８の面は、装置の長手方向に対して傾斜している。力部材は、実施例においてはばね５２（図４）として示されるが、薬剤容器ホルダ１２の近位端における円周レッジ５４と薬剤送達ガード部材の近位端壁３５との間に配置される。
【００３１】
装置は以下のように機能するよう企図される。薬剤送達装置が使用者に引き渡される際、ガード部材は図１に図示のとおり引込められた位置にある。これにより、薬剤容器ホルダ１２の首部分２０がガード部材３４の近位側の開口部３６から突出すこととなる。ガード部材３４は、近位側のハウジング部分１２の円周レッジ２４のうち遠位側に向けられた側面に接するアーム４２のレッジ３８によって、この引込められた位置で保持される。まず、使用者は、薬剤容器ホルダ１２の首部分２０上に薬剤送達部材２２を取付ける。これは、ガード部材３４を引込ませることによって首部分２０が露出されるために容易となる。ガイド部材３２は、アーム２８を押すように配置および設計されており、これにより、これらガイド部材３２およびアーム２８は、図３に図示のとおり、装置の長手方向に対して傾斜方向を有することとなる。
【００３２】
使用者は、次いで、薬剤送達の前に薬剤の混合または調製を実行する。使用者は、次いで、ハウジング部分１０および１２を互いに相対的に回転させ、これら２つの部分間のネジ接続部１４，１６により、薬剤容器ホルダ１２を遠位側のハウジング部分１０内に移動させる。遠位側のハウジング部分１０内に配置されたプランジャロッド（図示せず）が、次いで、薬剤容器内の遠位側のストッパ（図示せず）に作用し、これにより、遠位側のストッパを移動させて、それ自体が公知の態様で薬剤の混合を行う。２つのハウジング部分間同士での混合動作の終わりに、遠位側のハウジング部分１０のうち近位側に向けられた端面５８（図２および図４）を移動させて、ガード部材３４のうち遠位側に向けられたアーム４２に接触させる。これにより、アーム４２のレッジは、遠位側のハウジング部分の端面５８が作用する傾斜面４３のせいで、径方向外側に押される。
【００３３】
アーム４２が径方向に移動することにより、これらアーム４２は遠位側のレッジ２４から離れていき、これにより、ガード部材３４は、ばね５２の力により近位方向に自由に移動できるようになる。薬剤送達部材はこのときガード部材によってカバーされる。アーム４２のレッジ３８が薬剤容器ホルダ１２の第２の円周レッジ２６（図４）に接触すると、ガード部材３４の動きが停止する。
【００３４】
次のステップは投与送達を実行するステップである。使用者は、ここで、ガード部材３４を備えた装置の近位端を薬剤送達部位に押当てる。これにより、ガード部材３４は、ばね５２の力に対抗して遠位方向に押込まれ、これにより、薬剤送達部材２２が、ガード部材３４の開口部３６（図５）を通じて露出される。ガード部材３４が移動することにより、ガイド部材３２は、切欠４８において適所に位置するまでリブ４４に沿って移動する。これにより、ガイド部材３２の近位端面が切欠４８のうち遠位側に向けられた面に接触し、これにより、ガイド部材がリブ４４の他方側に案内される。これにより、さらに、装置の長手方向に対して概して平行な方向にアームを屈曲させる。
【００３５】
ガード部材３４が遠位方向に移動している間、アーム２８およびそのフック３０は、フック３０が切欠４８に位置決めされ、これによりフック３０が切欠のうち遠位側に向けられた面を把持するまで、リブ４４に沿って移動する。これにより、ガード部材３４が遠位方向にさらに移動するのが阻止され、こうして移動を阻止することにより、図５に図示のとおり薬剤送達部材が注射針である場合、装置の最大の針入深さｄが構成される。
【００３６】
この位置においては、薬剤容器から薬剤送達部材を通じて１投与分の薬剤を排出するために、プランジャロッドを近位方向に押すことによって薬剤送達が開始される。この開始動作は、完全に手動であってもよく、すなわち使用者によって操作されてもよく、または自動的になされてもよい。この場合、ばねなどの駆動部材が、プランジャロッドに近位方向への力を加える。
【００３７】
投与送達ステップが実行された場合、装置は薬剤送達部位から取外される。これにより、ばね５２の力のせいでガード部材３４が再び近位方向に移動する。アーム２８およびそのフック３０はまた、ガード部材３４のレッジ３８が移動して近位側の円周レッジ２６に接触し、これにより移動が停止するまで、リブ４４に沿って摺動する。この位置においては、アーム２８のフック３０が、リブのうち遠位側に向けられた端面５０を通り過ぎ、これにより、ガード部材３４が遠位方向に押込まれないようロックされる（図７）。薬剤送達部材２２は、このとき、ガード部材３４内に安全にカバーされ、これにより、薬剤送達部材２２が注射針である場合に針が偶発的に突刺さるのを防止する。装置はここで廃棄されてもよい。
【００３８】
上に記載され図面に示される実施例は、単に本発明の非限定的な例としてみなされるべきであり、特許請求の範囲内で多くの態様で変更され得ることが理解されるべきである。
【図１】
2013543771.tif 000003
【図２】
2013543771.tif 000004
【図３】
2013543771.tif 000005
【図４】
2013543771.tif 000006
【図５】
2013543771.tif 000007
【図６】
2013543771.tif 000008
【図７】
2013543771.tif 000009
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
薬剤送達装置であって、
−  ハウジング（１０）と、マルチチャンバ薬剤容器を収容する薬剤容器ホルダ（１２）とを備えた本体を含み、前記ハウジング（１０）および前記薬剤容器ホルダ（１２）は、相互作用するよう互いに接続され、互いに相対的に移動可能であり、薬剤容器ホルダは、送達部材（２２）を取付けるための取付け手段（２０）を含み、前記薬剤送達装置はさらに、
−  本体に相互作用するように接続されて、ハウジング内の薬剤容器ホルダを駆動して、調製を達成するための混合ガード機構を含み、
前記混合ガード機構は、
−  薬剤容器ホルダ（１２）に動作可能に接続されたガード部材（３４）と、
−  前記ガード部材（３４）に作用するよう配置された力部材（５２）と、
−  前記ガード部材（３４）と前記薬剤容器ホルダ（１２）との間に配置されたガード部材ロック手段（２４，４２）とを含み、前記ガード部材ロック手段（２４，４２）は、ガード部材（３４）が力部材（５２）の力に対抗して薬剤容器ホルダ（１２）にロックされるように、前記薬剤容器ホルダ（１２）に対して配置された第２の係合部材（２４）に動作可能に作用する第１の係合部材（４２）を含み、これにより、調製が達成されると、薬剤容器ホルダ（１２）およびガード部材（３４）は、送達部材（２２）の取付けを可能にするために前記取付け手段（２０）が前記ガード部材（３４）の近位端から突出る予混合位置から、前記薬剤容器ホルダ（１２）が前記ハウジング（１０）に対して遠位側にずらされた混合位置へと、前記ハウジング（１０）に対して移動可能となり、前記混合位置では、前記ガード部材ロック手段（２４，４２）が前記ハウジング（１０）の近位領域（５８）によって起動および解放され、これにより、前記ガード部材（３４）が、送達部材（２２）をカバーするために前記力部材（５２）によって近位方向に推し進められる、薬剤送達装置。
【請求項２】
前記第１の係合部材は弾力的に移動可能なフック状アーム（４２）を含み、前記第２の係合部材はレッジ（２４）を含み、前記ハウジング（１０）の近位端面（５８）は、前記フック状アーム（４２）に接触すると、前記レッジ（２４）との係合を解除するように前記フック状アームを移動させるよう配置される、請求項１に記載の薬剤送達装置。
【請求項３】
前記混合ガード機構は、前記薬剤容器ホルダ（１２）を前記ハウジング（１０）内でずらすことを可能にするために、前記ハウジングと前記薬剤容器ホルダとを相互作用するように接続する第１の接続手段（１４，１６）を含む、請求項１に記載の薬剤送達装置。
【請求項４】
前記第１の接続手段は、前記ハウジングおよび前記薬剤容器ホルダに対して協働するねじ山（１４，１６）を含む、請求項３に記載の薬剤送達装置。
【請求項５】
薬剤容器ホルダ（１２）およびガード部材（３４）の両方に相互作用するように接続された第２のガード部材ロック手段（２８，３０，４４）をさらに含み、前記第２のガード部材ロック手段（２８，３０，４４）は、送達部材（２２）の近位部分がガード部材（３４）の近位端から突出るように前記力部材（５２）を圧縮しつつガード部材（３４）を遠位側にずらすことが可能となる第１のロック解除された状態に位置するよう、かつ、ガード部材が前記力部材（５２）によって近位側にずらされて送達部材（２２）をカバーした後に前記ガード部材（３４）がロックされる第２のロックされた状態に位置するよう配置される、請求項１に記載の薬剤送達装置。
【請求項６】
前記第２のガード部材ロック手段は、前記薬剤容器ホルダに対して配置されたフック（３０）付きアーム（２８）と、遠位側に向けられた端面が前記ガード部材（３４）に対し
て配置されている少なくとも１つのリブ（４４）とを含み、これにより、前記ガード部材（３４）が近位側へ動かされると、前記少なくとも１つのフック（３０）は前記少なくとも１つのリブ（４４）の端面（５０）を通り過ぎ、これにより、後に前記ガード部材が遠位側にずらされるのを防ぐ、請求項５に記載の薬剤送達装置。
【請求項７】
前記ハウジング内に配置され、前記マルチチャンバ容器内に位置決めされたストッパを駆動するよう適合された駆動手段をさらに含む、請求項１から６のいずれかに記載の薬剤送達装置。
【請求項８】
前記駆動手段は、プランジャロッドと、前記プランジャロッドに動作可能に作用して前記プランジャロッドを近位方向に推し進めるための力部材とを含む、請求項７に記載の薬剤送達装置。
【請求項９】
予め張力がかけられた状態で前記駆動手段を保持するための保持手段をさらに含む、請求項８に記載の薬剤送達装置。
【請求項１０】
予め張力がかけられた状態から駆動手段を解放するために前記保持手段に作用することのできる起動手段をさらに含む、請求項９に記載の薬剤送達装置。
【請求項１１】
前記装置は注射装置である、請求項１から１０のいずれかに記載の薬剤送達装置。
【手続補正２】
【補正対象書類名】明細書
【補正対象項目名】００１４
【補正方法】変更
【補正の内容】
【００１４】
本発明のさらなる局面に従うと、上記第１の接続手段は、上記ハウジングおよび上記薬剤容器ホルダに対して協働するねじ山を含む。
【国際調査報告】
2013543771.tif 000010
2013543771.tif 000011
2013543771.tif 000012
2013543771.tif 000013